(57)【要約】【課題】ヒートポンプ１０５とデシカントローター１０８を用い、加熱手段１０９における加熱の高効率化を図り、効率良く除湿を行いつつ、信頼性の高い除湿装置を提供する。【解決手段】室内空気を、放熱器１０２の放熱および加熱手段１０９により加熱し、放湿領域１０７における放湿により加湿し、吸熱器１０４において吸熱により冷却し、吸湿領域１０６における吸湿により除湿する除湿装置において、加熱手段１０９を、発熱部１５と発熱部１５を収容する箱体１７と、箱体１７を覆蓋しデシカントローター１０８の放湿領域１０７に向けて空気取出口２３を開口した蓋部１８とから構成し、箱体１７に空気取入口２２を複数設けることにより加熱手段１０９内部における風速分布を改善し、加熱手段１０９における加熱の高効率化を図り放湿領域１０７を均一に加熱することにより、放湿領域１０７における放湿を促進し、効率的に除湿を行うものである。【選択図】図５
2008086904.tif 000002
【特許請求の範囲】
【請求項１】
冷媒を圧縮する圧縮機（１０１）と冷媒が供給空気に放熱する放熱器（１０２）と冷媒を膨張させて減圧する膨張機構（１０３）と冷媒が供給空気から吸熱する吸熱器（１０４）とを配管接続した蒸気圧縮式のヒートポンプ（１０５）と、駆動手段（２）によって回転し吸湿領域（１０６）では供給空気から吸湿するとともに放湿領域（１０７）では加熱されて水分を放出するデシカントローター（１０８）と、前記放湿領域（１０７）を加熱する加熱手段（１０９）と、室内空気を前記放熱器（１０２）、前記加熱手段（１０９）、前記放湿領域（１０７）、前記吸熱器（１０４）、前記吸湿領域（１０６）の順に供給し室内に吹出すメイン風路（７）と、を備えた除湿装置において、前記メイン風路（７）で前記加熱手段（１０９）より後段に配置され、前記加熱手段（１０９）を周囲雰囲気より負圧状態にすることにより前記メイン風路（７）に送風する送風手段（６）を有し、前記加熱手段（１０９）は、発熱部（１５）と前記発熱部（１５）を収容する箱体（１７）と、前記箱体（１７）の開口面を覆蓋し前記デシカントローター（１０８）の前記放湿領域（１０７）に向けて空気取出口（２３）を開口した蓋部（１８）と、を備え、前記箱体（１７）に空気取入口（２２）を複数設けたことを特徴とする除湿装置。
【請求項２】
箱体（１７）を扇型に構成し、２つの放射方向の辺の壁にそれぞれ空気取入口（２２）を設けることを特徴とする請求項１記載の除湿装置。
【請求項３】
箱体（１７）を扇形に構成し、前記箱体のデシカントローターと反対側の面（３３）に空気取入口（２２）を設けることを特徴とする請求項１または２記載の除湿装置。
【請求項４】
発熱部（１５）を支持するとともに、前記発熱部（１５）のデシカントローター（１０８）側の面以外を囲う発熱部支持体（１６）を備え、前記発熱部支持体（１６）と箱体（１７）の間に空気断熱層（３０）を設けることを特徴とする請求項１乃至３のいずれかに記載の除湿装置。
【請求項５】
発熱部支持体（１６）のデシカントローター（１０８）側以外の面に１つ以上の開口部（２１）を設けることを特徴とする請求項４記載の除湿装置。
【請求項６】
発熱部支持体のデシカントローターと反対側の面（３４）に１つ以上の開口部（２１）を設けることを特徴とする請求項５記載の除湿装置。
【請求項７】
箱体（１７）を扇形に構成し、箱体のデシカントローターと反対側の面（３３）に空気取入口（２２）を設け、発熱部（１５）を支持するとともに、前記発熱部（１５）のデシカントローター（１０８）側の面以外を囲う発熱部支持体（１６）を備え、前記発熱部支持体のデシカントローターと反対側の面（３４）に１つ以上の開口部（２１）を設け、前記空気取入口（２２）と前記開口部（２１）が、前記デシカントローター（１０８）軸方向から投影して重ならない構成とすることを特徴とする請求項１乃至６のいずれかに記載の除湿装置。
【請求項８】
開口部（２１）はデシカントローター（１０８）軸方向から投影して、発熱部（１５）の略中央に設けることを特徴とする請求項６または７記載の除湿装置。
【請求項９】
少なくとも発熱部支持体のデシカントローターと反対側の面（３４）をパンチングメタル（３２）にて構成することを特徴とする請求項４乃至８のいずれかに記載の除湿装置。
【請求項１０】
少なくとも箱体のデシカントローターと反対側の面（３３）をパンチングメタル（３２）にて構成することを特徴とする請求項１乃至９のいずれかに記載の除湿装置。
【請求項１１】
発熱部支持体のデシカントローターと反対側の面（３４）をパンチングメタル（３２）にて構成し、箱体のデシカントローターと反対側の面（３３）をパンチングメタル（３２）にて構成し、前記デシカントローター（１０８）軸方向から投影して、前記発熱支持体（１６）のパンチングメタル（３２）の開口穴と前記箱体（１７）のパンチングメタル（３２）の開口穴が重ならないことを特徴とする請求項４乃至１０記載のいずれかに除湿装置。
【請求項１２】
発熱部支持体のデシカントローターと反対側の面（３４）を発熱部（１５）の輻射成分を反射する反射部（２６）により構成することを特徴とする請求項４乃至１１のいずれかに記載の除湿装置。
【発明の詳細な説明】
【技術分野】
【０００１】
本発明は、圧縮機、放熱器、膨張機構、吸熱器等から構成されるヒートポンプと、吸着剤や吸収剤を用いて吸放湿を行うデシカントローターにより、除湿運転を行う除湿装置に関する。
【背景技術】
【０００２】
従来のヒートポンプとデシカントローターによる除湿運転を行う除湿装置としては、室内空気を、放熱器、デシカントローターの放湿領域、吸熱器、デシカントローターの吸湿領域の順に供給し除湿を行うものがある（例えば、特許文献１参照）。
【０００３】
以下、その除湿装置について図１０を参照しながら説明する。図１０に示すように、冷媒を圧縮する圧縮機１０１と供給空気に放熱する放熱器１０２と冷媒を膨張させる膨張機構１０３と供給空気から吸熱する吸熱器１０４からなるヒートポンプ１０５と、供給空気から吸湿する吸湿領域１０６と供給空気に放湿する放湿領域１０７を有するデシカントローター１０８と、放湿領域１０７の放湿を促進する加熱手段１０９を備え、室内空気を、放熱器１０２においてヒートポンプ１０５の放熱および加熱手段１０９により加熱し、次に放湿領域１０７においてデシカントローター１０８の放湿により加湿し、次に吸熱器１０４においてヒートポンプ１０５の吸熱により冷却し、次に吸湿領域１０６においてデシカントローター１０８の吸湿により除湿する構成になっている。ここで、放湿領域１０７には加熱された低い相対湿度の空気が供給され、吸湿領域１０６には冷却された高い相対湿度の空気が供給される。
【０００４】
したがって吸湿領域１０６に供給される空気と放湿領域１０７に供給される空気との相対湿度の差が拡大してデシカントローター１０８の吸放湿量が増加することになり、循環経路を設けない単純な構成でデシカントローター１０８  の吸放湿量を増加して効率の良い除湿を行うことができる構成となっている。
【特許文献１】特開２００６−１３０４６５号公報
【発明の開示】
【発明が解決しようとする課題】
【０００５】
以上の例では、加熱手段１０９にその後流側から空気を誘引することにより送風する場合、加熱手段１０９内の空気の流れが均一化しにくくなるため効率よく加熱ができず、放湿領域１０７における放湿が効率良く行えないという不具合があった。さらに、加熱手段１０９の断熱を十分行うことができず、加熱効率の低下、熱による周囲部品の劣化、等の不具合を生じる可能性があった。
【０００６】
本発明は上記の課題を解決するものであり、加熱手段１０９における空気の流れを均一化し、加熱の高効率化を図り、効率的に放湿領域１０７における放湿を行い、効率的に除湿を行える除湿装置を提供することを目的とし、さらに、加熱手段１０９の信頼性を高め、熱による劣化の不具合を防止し、信頼性の高い除湿装置を提供することを目的としている。
【課題を解決するための手段】
【０００７】
上記目的を達成するために本発明が講じた第１の課題解決手段は、冷媒を圧縮する圧縮機（１０１）と冷媒が供給空気に放熱する放熱器（１０２）と冷媒を膨張させて減圧する膨張機構（１０３）と冷媒が供給空気から吸熱する吸熱器（１０４）とを配管接続した蒸気圧縮式のヒートポンプ（１０５）と、駆動手段（２）によって回転し吸湿領域（１０６）では供給空気から吸湿するとともに放湿領域（１０７）では加熱されて水分を放出するデシカントローター（１０８）と、前記放湿領域（１０７）を加熱する加熱手段（１０９）と、室内空気を前記放熱器（１０２）、前記加熱手段（１０９）、前記放湿領域（１０７）、前記吸熱器（１０４）、前記吸湿領域の順に供給し室内に吹出すメイン風路（７）と、前記メイン風路（７）で前記加熱手段（１０９）より後段に配置され、前記加熱手段（１０９）を周囲雰囲気より負圧状態にすることにより前記メイン風路（７）に送風する送風手段（６）と、を備えた除湿装置において、前記加熱手段（１０９）は、発熱部（１５）と前記発熱部（１５）を収容する箱体（１７）と、前記箱体（１７）の開口面を覆蓋し前記デシカントローター（１０８）の前記放湿領域（１０７）に向けて空気取出口（２３）を開口した蓋部（１８）と、を備え、前記箱体（１７）に空気取入口（２２）を複数設けたものである。
【０００８】
そして、上記第１の課題解決手段による作用は、加熱手段（１０９）の後流側から送風手段（６）により空気を誘引することにより加熱手段（１０９）に空気が供給させるので、空気取入口（２２）を複数設けることにより、加熱手段（１０９）内部における風速分布を改善でき、デシカントローター（１０８）の放湿領域（１０７）を均一に加熱するものである。
【０００９】
また、第２の課題解決手段は、上記第１の課題解決手段において、箱体（１７）を扇型に構成し、２つの放射方向の辺の壁にそれぞれ空気取入口（２２）を設けるものである。
【００１０】
また、第２の課題解決手段による作用は、加熱手段（１０９）をデシカントローター（１０８）の放湿領域（１０７）にあわせるように箱体（１７）を扇形に構成した場合、扇形の箱体（１７）の２つの放射方向の辺の壁付近の風速分布が不均一になるので、その扇形の箱体（１７）の２つの放射方向の辺の壁付近にそれぞれ空気取入口（２２）を設けることにより風速分布の不均一を解消し、デシカントローター（１０８）の放湿領域（１０７）を均一に加熱するものである。
【００１１】
また、第３の課題解決手段は、上記第１または第２の課題解決手段において、箱体（１７）を扇形に構成し、前記箱体のデシカントローターと反対側の面（３３）に空気取入口（２２）を設けるものである。
【００１２】
また、第３の課題解決手段による作用は、加熱手段（１０９）をデシカントローター（１０８）の放湿領域（１０７）にあわせるように箱体（１７）を扇形に構成した場合、前記箱体のデシカントローターと反対側の面（３３）に空気取入口（２２）を設けることにより、供給空気を略直線状に箱体（１７）に誘引することができ、風速分布の不均一を解消し、デシカントローター（１０８）の放湿領域（１０７）を均一に加熱するものである。
【００１３】
また、第４の課題解決手段は、上記第１乃至第３のいずれかの課題解決手段において、発熱部（１５）を支持するとともに、前記発熱部（１５）のデシカントローター（１０８）側の面以外を囲う発熱部支持体（１６）を備え、前記発熱部支持体（１６）と箱体（１７）の間に空気断熱層（３０）を設けるものである。
【００１４】
また、第４の課題解決手段による作用は、発熱部（１５）を支持するとともに、発熱部（１５）のデシカントローター（１０８）側の面以外を囲う発熱部支持体（１６）を備え、発熱部支持体（１６）と箱体（１７）の間に空気断熱層（３０）を設けているので、発熱部（１５）からの発熱および輻射の放射が箱体（１７）に到達するのを発熱部支持体（１６）と空気断熱層（３０）でもって遮断するので、発熱部（１５）からの熱は効率よくデシカントローター（１０８）の放湿領域（１０７）に供給されるものである。
【００１５】
また、第５の課題解決手段は、上記第４の課題解決手段において、発熱部支持体（１６）のデシカントローター（１０８）側以外の面に１つ以上の開口部（２１）を設けるものである。
【００１６】
また、第５の課題解決手段による作用は、発熱部支持体（１６）のデシカントローター（１０８）側以外の面に１つ以上の開口部（２１）を設けるので、加熱手段（１０９）の後段側から誘引される空気は、発熱部支持体（１６）の開口部（２１）から発熱部（１５）に流れ、空気断熱層（３０）に空気を流すことができ、空気断熱層（３０）の断熱効果を高めるものである。
【００１７】
また、第６の課題解決手段は、上記第５の課題解決手段において、発熱部支持体のデシカントローターと反対側の面（３４）に１つ以上の開口部（２１）を設けるものである。
【００１８】
また、第６の課題解決手段による作用は、発熱部支持体のデシカントローターと反対側の面（３４）に１つ以上の開口部（２１）を設けることにより、供給空気を略直線状に発熱部（１５）に誘引することができ、発熱部（１５）における風速分布の不均一を解消でし、デシカントローター（１０８）の放湿領域（１０７）を均一に加熱し、また、発熱部（１５）の温度が一番高くなる発熱部（１５）の中央部に効果的に空気を誘引し、デシカントローター（１０８）の放湿領域（１０７）を均一に加熱するものである。
【００１９】
また、第７の課題解決手段は、上記第１乃至第６のいずれかの課題解決手段において、箱体（１７）を扇形に構成し、箱体のデシカントローターと反対側の面（３３）に空気取入口（２２）を設け、発熱部（１５）を支持するとともに、前記発熱部（１５）のデシカントローター（１０８）側の面以外を囲う発熱部支持体（１６）を備え、前記発熱部支持体のデシカントローターと反対側の面（３４）に１つ以上の開口部（２１）を設け、前記空気取入口（２２）と前記開口部（２１）が、前記デシカントローター（１０８）軸方向から投影して重ならない構成とするものである。
【００２０】
また、第７の課題解決手段による作用は、箱体（１７）を扇形に構成し、箱体のデシカントローターと反対側の面（３３）に空気取入口（２２）を設け、発熱部（１５）を支持するとともに、前記発熱部（１５）のデシカントローター（１０８）側の面以外を囲う発熱部支持体（１６）を備え、前記発熱部支持体のデシカントローターと反対側の面（３４）に１つ以上の開口部（２１）を設け、前記空気取入口（２２）と前記開口部（２１）が、前記デシカントローター（１０８）軸方向から投影して重ならない構成とするので、加熱手段（１０９）の上流側から発熱部（１５）が直接見えることがなく、発熱部（１５）から放射される輻射熱が加熱手段（１０９）の上流側の風路に到達するのを抑制するものである。
【００２１】
また、第８の課題解決手段は、上記第６または第７の課題解決手段において、開口部（２１）はデシカントローター（１０８）軸方向から投影して、発熱部（１５）の略中央に設けるものである。
【００２２】
また、第８の課題解決手段による作用は、発熱部支持体（１６）に設ける開口部（２１）をデシカントローター（１０８）軸方向から投影して、発熱部（１５）の略中央に配置するので、発熱部（１５）において温度が一番高くなる発熱部（１５）の中央部に効果的に空気を誘引し、デシカントローター（１０８）の放湿領域（１０７）を均一に加熱するものである。
【００２３】
また、第９の課題解決手段は、上記第４乃至第８のいずれかの課題解決手段において、少なくとも発熱部支持体のデシカントローターと反対側の面（３４）をパンチングメタル（３２）にて構成するものである。
【００２４】
また、第９の課題解決手段による作用は、少なくとも発熱部支持体のデシカントローターと反対側の面（３４）をパンチングメタル（３２）にて構成するので、発熱部（１５）に誘引される空気を均一にすることができ、発熱部（１５）における風速分布の不均一を解消し、デシカントローター（１０８）の放湿領域（１０７）を均一に加熱するものである。
【００２５】
また、第１０の課題解決手段は、上記第１乃至第９のいずれかの課題解決手段において、少なくとも箱体のデシカントローターと反対側の面（３３）をパンチングメタル（３２）にて構成するものである。
【００２６】
また、第１０の課題解決手段による作用は、少なくとも箱体のデシカントローターと反対側の面（３３）をパンチングメタル（３２）にて構成するので、供給空気を略直線状に箱体（１７）に誘引することができる上に、加熱手段（１０９）に誘引される空気を均一にすることができ、発熱部（１５）における風速分布の不均一を解消し、デシカントローター（１０８）の放湿領域（１０７）を均一に加熱するものである。
【００２７】
また、第１１の課題解決手段は、上記第４乃至第１０のいずれかの課題解決手段において、発熱部支持体のデシカントローターと反対側の面（３４）をパンチングメタル（３２）にて構成し、箱体のデシカントローターと反対側の面３３をパンチングメタル（３２）にて構成し、前記デシカントローター（１０８）軸方向から投影して、前記発熱支持体（１６）のパンチングメタル（３２）の開口穴と前記箱体（１７）のパンチングメタル（３２）の開口穴が重ならないものである。
【００２８】
また、第１１の課題解決手段による作用は、発熱部支持体のデシカントローターと反対側の面（３４）をパンチングメタル（３２）にて構成し、箱体のデシカントローターと反対側の面３３をパンチングメタル（３２）にて構成し、前記デシカントローター（１０８）軸方向から投影して、前記発熱支持体（１６）のパンチングメタル（３２）の開口穴と前記箱体（１７）のパンチングメタル（３２）の開口穴が重ならないように配置するので、加熱手段（１０９）の上流側から発熱部（１５）が直接見えることがなく、発熱部（１５）から放射される輻射熱が加熱手段（１０９）の上流側の風路に到達するのを抑制するとともに、供給空気の風速分布の不均一を解消し、デシカントローター（１０８）の放湿領域（１０７）を均一に加熱するものである。
【００２９】
また、第１２の課題解決手段は、上記第４乃至第１１のいずれかの課題解決手段において、発熱部支持体のデシカントローターと反対側の面（３４）を発熱部（１５）の輻射成分を反射する反射部（２６）により構成するものである。
【００３０】
また、第１２の課題解決手段による作用は、発熱部支持体のデシカントローターと反対側の面（３４）を発熱部（１５）の輻射成分を反射する反射部（２６）により構成するので、この反射部（２６）が発熱部（１５）から放射される輻射熱をデシカントローター（１０８）の放湿領域（１０７）に向けて反射し、効率よく放湿領域（１０７）を加熱するとともに、加熱手段（１０９）の周囲に漏洩する熱を遮断するものである。
【発明の効果】
【００３１】
本願発明は、かかる構成とすることにより以下に記載されるような効果を奏するものである。
【００３２】
本発明の請求項１記載の除湿装置は、加熱手段（１０９）の後流側から送風手段（６）により空気を誘引することにより加熱手段（１０９）に空気が供給させるので、空気取入口（２２）を複数設けることにより、加熱手段（１０９）内部における風速分布を改善でき、デシカントローター（１０８）の放湿領域（１０７）を均一に加熱することにより、加熱手段（１０９）における加熱の高効率化を図り、効率的に放湿領域（１０７）における放湿を行い、効率的に除湿を行える除湿装置を提供できるという効果を奏する。
【００３３】
また、本発明の請求項２記載の除湿装置は、加熱手段（１０９）をデシカントローター（１０８）の放湿領域（１０７）にあわせるように箱体（１７）を扇形に構成した場合、扇形の箱体（１７）の２つの放射方向の辺の壁付近の風速分布が不均一になるので、その扇形の箱体（１７）の２つの放射方向の辺の壁付近にそれぞれ空気取入口（２２）を設けることにより風速分布の不均一を解消しデシカントローター（１０８）の放湿領域（１０７）を均一に加熱することにより、加熱手段（１０９）における加熱の高効率化を図り、効率的に放湿領域（１０７）における放湿を行い、効率的に除湿を行える除湿装置を提供できるという効果を奏する。
【００３４】
また、本発明の請求項３記載の除湿装置は、加熱手段（１０９）をデシカントローター（１０８）の放湿領域（１０７）にあわせるように箱体（１７）を扇形に構成した場合、前記箱体のデシカントローターと反対側の面（３３）に空気取入口（２２）を設けることにより、供給空気を略直線状に箱体（１７）に誘引することができ、風速分布の不均一を解消し、デシカントローター（１０８）の放湿領域（１０７）を均一に加熱することにより、加熱手段（１０９）における加熱の高効率化を図り、効率的に放湿領域（１０７）における放湿を行い、効率的に除湿を行える除湿装置を提供できるという効果を奏する。
【００３５】
また、本発明の請求項４記載の除湿装置は、発熱部（１５）を支持するとともに、発熱部（１５）のデシカントローター（１０８）側の面以外を囲う発熱部支持体（１６）を備え、発熱部支持体（１６）と箱体（１７）の間に空気断熱層（３０）を設けているので、発熱部（１５）からの発熱および輻射の放射が箱体（１７）に到達するのを発熱部支持体（１６）と空気断熱層（３０）でもって遮断するので、発熱部（１５）からの熱は効率よくデシカントローター（１０８）の放湿領域（１０７）に供給されることにより、効率的に放湿領域（１０７）における放湿を行い、効率的に除湿が行える除湿装置を提供できるという効果を奏する。
【００３６】
また、本発明の請求項５記載の除湿装置は、発熱部支持体（１６）のデシカントローター（１０８）側以外の面に１つ以上の開口部（２１）を設けるので、加熱手段（１０９）の後段側から誘引される空気は、発熱部支持体（１６）の開口部（２１）から発熱部（１５）に流れ、空気断熱層（３０）に空気を流すことができ、空気断熱層（３０）の断熱効果を高めることにより、発熱部（１５）からの熱は効率よくデシカントローター（１０８）の放湿領域（１０７）に供給されることにより、効率的に放湿領域（１０７）における放湿を行い、効率的に除湿が行える除湿装置を提供できるという効果を奏する。
【００３７】
また、本発明の請求項６記載の除湿装置は、発熱部支持体のデシカントローターと反対側の面（３４）に１つ以上の開口部（２１）を設けることにより、供給空気を略直線状に発熱部（１５）に誘引することができ、発熱部（１５）における風速分布の不均一を解消でし、デシカントローター（１０８）の放湿領域（１０７）を均一に加熱し、また、発熱部（１５）の温度が一番高くなる発熱部（１５）の中央部に効果的に空気を誘引し、デシカントローター（１０８）の放湿領域（１０７）を均一に加熱することにより、加熱手段（１０９）における加熱の高効率化を図り、効率的に放湿領域（１０７）における放湿を行い、効率的に除湿を行える除湿装置を提供できるという効果を奏する。
【００３８】
また、本発明の請求項７記載の除湿装置は、箱体（１７）を扇形に構成し、箱体のデシカントローターと反対側の面（３３）に空気取入口（２２）を設け、発熱部（１５）を支持するとともに、前記発熱部（１５）のデシカントローター（１０８）側の面以外を囲う発熱部支持体（１６）を備え、前記発熱部支持体のデシカントローターと反対側の面（３４）に１つ以上の開口部（２１）を設け、前記空気取入口（２２）と前記開口部（２１）が、前記デシカントローター（１０８）軸方向から投影して重ならない構成とするので、加熱手段（１０９）の上流側から発熱部（１５）が直接見えることがなく、発熱部（１５）から放射される輻射熱が加熱手段（１０９）の上流側の風路に到達するのを抑制することにより、熱による周囲部品の劣化の不具合を防止し、信頼性の高い除湿装置を提供できるという効果を奏する。
【００３９】
また、本発明の請求項８記載の除湿装置は、発熱部支持体（１６）に設ける開口部（２１）をデシカントローター（１０８）軸方向から投影して、発熱部（１５）の略中央に配置するので、発熱部（１５）において温度が一番高くなる発熱部（１５）の中央部に効果的に空気を誘引し、デシカントローター（１０８）の放湿領域（１０７）を均一に加熱することにより、加熱手段（１０９）における加熱の高効率化を図り、効率的に放湿領域（１０７）における放湿を行い、効率的に除湿を行える除湿装置を提供できるという効果を奏する。
【００４０】
また、本発明の請求項９記載の除湿装置は、少なくとも発熱部支持体のデシカントローターと反対側の面（３４）をパンチングメタル（３２）にて構成するので、発熱部（１５）に誘引される空気を均一にすることができ、発熱部（１５）における風速分布の不均一を解消し、デシカントローター（１０８）の放湿領域（１０７）を均一に加熱することにより、加熱手段（１０９）における加熱の高効率化を図り、効率的に放湿領域（１０７）における放湿を行い、効率的に除湿を行える除湿装置を提供できるという効果を奏する。
【００４１】
また、本発明の請求項１０記載の除湿装置は、少なくとも箱体のデシカントローターと反対側の面（３３）をパンチングメタル（３２）にて構成するので、供給空気を略直線状に箱体（１７）に誘引することができる上に、加熱手段（１０９）に誘引される空気を均一にすることができ、発熱部（１５）における風速分布の不均一を解消し、デシカントローター（１０８）の放湿領域（１０７）を均一に加熱することにより、加熱手段（１０９）における加熱の高効率化を図り、効率的に放湿領域（１０７）における放湿を行い、効率的に除湿を行える除湿装置を提供できるという効果を奏する。
【００４２】
また、本発明の請求項１１記載の除湿装置は、発熱部支持体のデシカントローターと反対側の面（３４）をパンチングメタル（３２）にて構成し、箱体のデシカントローターと反対側の面（３３）をパンチングメタル（３２）にて構成し、前記デシカントローター（１０８）軸方向から投影して、前記発熱支持体（１６）のパンチングメタル（３２）の開口穴と前記箱体（１７）のパンチングメタル（３２）の開口穴が重ならないように配置するので、加熱手段（１０９）の上流側から発熱部（１５）が直接見えることがなく、発熱部（１５）から放射される輻射熱が加熱手段（１０９）の上流側の風路に到達するのを抑制するとともに、供給空気の風速分布の不均一を解消し、デシカントローター（１０８）の放湿領域（１０７）を均一に加熱することにより、熱による周囲部品の劣化の不具合を防止し、加熱手段（１０９）における加熱の高効率化を図り、効率的に放湿領域（１０７）における放湿を行い、信頼性が高く、効率的に除湿が行える除湿装置を提供できるという効果を奏する。
【００４３】
また、本発明の請求項１２記載の除湿装置は、発熱部支持体のデシカントローターと反対側の面（３４）を発熱部（１５）の輻射成分を反射する反射部（２６）により構成するので、この反射部（２６）が発熱部（１５）から放射される輻射熱をデシカントローター（１０８）の放湿領域（１０７）に向けて反射し、効率よく放湿領域（１０７）を加熱するとともに、加熱手段（１０９）の周囲に漏洩する熱を遮断することにより、加熱手段（１０９）における加熱の高効率化を図り、効率的に放湿領域（１０７）における放湿を行い、効率的に除湿を行える除湿装置を提供できるという効果を奏する。
【発明を実施するための最良の形態】
【００４４】
以下、本発明の実施の形態について図面を参照しながら説明する。なお、従来の例と同一の構成要素については同一の符号を用い、詳細な説明は省略する。
【００４５】
（実施の形態）
図１は、本発明の実施形態にかかる除湿装置の概略構成を示す簡易的な模式図である。図１に示すように、この除湿装置は本体１内に、圧縮機１０１、放熱器１０２、膨張機構１０３、吸熱器１０４を配管接続し密閉回路を形成している。この密閉回路内に作動流体である冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填して蒸気圧縮式のヒートポンプ１０５を形成している。吸熱器１０４および放熱器１０２は、ヘアピンチューブに複数枚のフィンを嵌入して空気流通を可能に構成したフィンチューブ型の熱交換器で構成され、吸熱器１０４と放熱器１０２を接続する配管中には膨張機構１０３として、例えば、キャピラリチューブや膨張弁等を介在させている。ここで、放熱器１０２は冷凍サイクルにおける、いわゆる凝縮器であり、吸熱器１０４は、いわゆる蒸発器である。
【００４６】
また、供給空気から吸湿する吸湿領域１０６および供給空気に対して放湿する放湿領域１０７を有するデシカントローター１０８を設けている。デシカントローター１０８は回動可能に立設されており、このデシカントローター１０８を周方向に毎時１０回転から４０回転程度の速度で回転させる駆動手段２をデシカントローター１０８の外周側に配設している。この駆動手段２は、デシカントローター１０８の外周に形設されたギアと、このギアと歯合する駆動モータを備えており、駆動モータの作動によってギアに回転力を加え、デシカントローター１０８を回転させるように動作するものである。このデシカントローター１０８は、軸方向に通風可能なハニカム構造もしくはコルゲート構造の円筒構造体に、シリカゲル、ゼオライトなどの無機質の吸着型吸湿剤、あるいは有機高分子電解質（イオン交換樹脂）などの吸湿剤、もしくは塩化リチウムなどの吸収型吸湿剤を１種類若しくは複数担持して構成されており、周囲の環境に応じて吸湿量が変化する特性を有している。
【００４７】
また、加熱手段１０９はデシカントローター１０８の放湿領域１０７に近接して配設されており、この加熱手段１０９の発熱によってデシカントローター１０８に供給される空気およびデシカントローター１０８自身が加熱されることになる。この加熱手段１０９は発熱動作を行い得るものであれば良く、例えば、ニクロムヒーター、ハロゲンヒーター、カーボンヒーター、シーズヒーター、ＰＴＣヒーター等を用いることができるが、輻射熱成分を多く放散する形式のものがデシカントローター１０８を直接高温に加熱して効率良く水分を放出させることが可能となり好ましい。
【００４８】
このデシカントローター１０８は駆動手段２によって回転しているので、デシカントローター１０８に担持されている吸湿剤は、吸湿領域１０６と放湿領域１０７を連続的に移動し、吸湿領域１０６における吸湿動作と放湿領域１０７における水分放出動作を連続的に行うことになる。
【００４９】
そして、本体１には吸込口３と第１吹出口４および第２吹出口５を開口し、送風手段６の運転によって、室内空気を吸込口３より本体１内に導入している。本体１内に供給された室内空気が、放熱器１０２、加熱手段１０９、放湿領域１０７、吸熱器１０４、吸湿領域１０６に順に供給されて第１吹出口４より本体１外部に流出するメイン風路７と、吸込口３から導入された室内空気が、放熱器１０２に供給されて、第１吹出口４より本体１外部に流出するバイパス風路８を形成している。
【００５０】
この送風手段６は、ケース内で羽根が回転駆動することにより送風するいわゆるシロッコファンとして構成されている。本実施例では、送風手段は、ケースにファン吸込口を２つ開口するとともに主板の両側にブレードを有し、２つの風路から吸込み、それぞれのブレードからの送風が混ざらないように吹出すことにより、１つの送風手段にて２つの風路から吸込み、それぞれ別々に吹き分ける構成としている。そして、メイン風路７には吹出口を切換える吹出口ダンパー９を設け、メイン風路７から室内に供給される空気が第１吹出口４から流出するか第２吹出口５から流出するかの切換を可能にしている。
【００５１】
吸込口３から吸引された空気は、放熱器１０２により加熱され、さらに加熱手段１０９により加熱され高温となってデシカントローター１０８の放湿領域１０７に供給され、その後、吸熱器１０４を通過し冷却され、デシカントローター１０８の吸湿領域１０６に供給される。このデシカントローター１０８に担持されている吸湿剤は、相対的に湿度が高く温度の低い空気から吸湿し、相対的に湿度が低く温度の高い空気に水分を放出する特性を有しているので、放湿領域１０７において加熱された高温空気と接触することにより水分を放出して再生し、吸湿領域１０６において吸熱器１０４により冷却された空気から吸湿することになる。
【００５２】
このデシカントローター１０８は駆動手段２によって回転しているので、デシカントローター１０８に担持されている吸湿剤は、吸湿領域１０６と放湿領域１０７を連続的に移動し、吸湿領域１０６における吸湿動作と放湿領域１０７における水分放出動作を連続的に行うことになる。放湿領域１０７において放出された水分を含んだ空気は、高温高湿状態となり風下側に配設された吸熱器１０４に供給される。この高温高湿空気はエンタルピも上昇しているので、吸熱器１０４内の冷媒とのエンタルピ差が拡大して高効率な吸熱動作が行われ、供給空気は飽和温度以下まで冷却される。この冷却過程で飽和した水分は結露水として下方に滴下し、図示しないドレンパンで受け止められた後に本体１の下部に配設された排水タンク１０に貯留される。
【００５３】
一方、吸湿領域１０６には、吸熱器１０４によりその飽和温度以下まで冷却され、相対湿度が高い状態（ほぼ飽和状態）となった空気が供給される。上述したようにデシカントローター１０８に担持されている吸湿剤は、相対的に湿度が高く温度の低い空気から吸湿し、相対的に湿度が低く温度の高い空気に水分を放出する特性を有しているので、放湿領域１０７を通過する空気と吸湿領域１０６を通過する空気の相対湿度差を拡大させることができ、高効率な吸放湿動作を行うことができる。
【００５４】
次に除湿装置の動作を説明する。
【００５５】
図２は、図１に示した除湿装置の冷媒の状態変化を示すモリエル線図（圧力−エンタルピ線図）である。図２に示した点Ａ、点Ｂ、点Ｃ、点Ｄを矢符で結んだサイクルは、冷媒回路内を循環する冷媒の状態変化を示しており、冷媒は圧縮機１０１において圧縮されることにより圧力とエンタルピが上昇して点Ａから点Ｂの状態変化を行い、放熱器１０２において供給される室内空気に対して放熱することによりエンタルピが減少して点Ｂから点Ｃの状態となる。次に膨張機構１０３において膨張して減圧することにより圧力が低下して点Ｃから点Ｄの状態変化を行い、吸熱器１０４において供給される空気から吸熱することによりエンタルピが増加して点Ｄから点Ａの状態に戻る。このような冷媒の状態変化により、吸熱器１０４において吸熱し、放熱器１０２において放熱するヒートポンプ１０５が動作し、この時、点Ｂと点Ｃのエンタルピ差に冷媒の循環量を乗じた値が放熱器１０２における放熱量、点Ａと点Ｄ（点Ｃ）のエンタルピ差に冷媒の循環量を乗じた値が吸熱器１０４における吸熱量となり、放熱量と吸熱量の差、即ち点Ｂと点Ａのエンタルピ差に冷媒の循環量を乗じた値が圧縮機１０１の圧縮仕事量になる。
【００５６】
図３は、図１に示した除湿装置における室内空気の状態変化を示す湿り空気線図である。まず、メイン風路７の空気状態変化を説明する。図３に示した湿り空気線図において、まず、点ａの状態の室内空気が放熱器１０２に供給され冷媒の放熱により加熱されて点ｂの状態となる。次に加熱手段１０９に供給され放熱器１０２で加熱された点ｂの温度以上に加熱されて点ｃの状態となる。加熱手段１０９によって点ｃの状態となった室内空気は、次に放湿領域１０７に供給されてデシカントローター１０８が保有している水分を放出することにより加湿されて、湿度が上昇するとともに温度が低下して点ｄの状態となる。放湿領域１０７において加湿された点ｄの状態の室内空気は次に吸熱器１０４に供給され、冷媒の吸熱により露点温度以下まで冷却されて点ｅの飽和状態となる。この時に飽和した水分は凝縮水として排水タンク１０に回収される。点ｅの飽和状態となった室内空気は、次に吸湿領域１０６に供給され、デシカントローター１０８に水分を吸着されることによって除湿されて湿度が低下するとともに温度が上昇し、点ｆの状態の乾燥空気となる。点ｆの状態となった室内空気は、送風手段６に吸引されて本体１外部に排出される。以上の室内空気の状態変化において、吸熱器１０４において回収される凝縮水の量は、点ｄと点ｅの絶対湿度差に吸熱器１０４に供給される室内空気の重量換算風量を乗じた値となり、放湿領域１０７における放湿量は、点ｃと点ｄの絶対湿度差に放湿領域１０７に供給される室内空気の重量換算風量を乗じた値なる。また、吸湿領域１０６における吸湿量は、点ｅと点ｆの絶対湿度差に吸湿領域１０６に供給される室内空気の重量換算風量を乗じた値となる。加熱手段１０９を放湿領域１０７の前段に導入することにより、放湿領域１０７に供給される室内空気の温度を高くし、相対湿度を低くすることができるので、放湿領域１０７出口の室内空気の絶対湿度を高くすることができる、すなわち吸熱器１０４に導入する室内空気の絶対湿度を高くできるので、凝縮する水分の量を増加させることができる。
【００５７】
次にバイパス風路８に関して説明する。室内空気は放熱器１０２に供給され点ａの状態から点ｂの状態に加熱され、送風手段６により送風され、そのまま室内に排出される。このように放熱器１０２における放熱量の一部をバイパス風路８に通しそのまま室内に排出し、残りの放熱量をメイン風路７に供給する空気の加熱に利用することにより、冷凍サイクルとしての吸熱量と放熱量のバランスを最適なものにすることができる。
【００５８】
図４はローターホルダー１１にデシカントローター１０８、加熱手段１０９およびローターカバー１２を取り付ける構造を示した分解図である。図４に示すように、ローターホルダー１１にはデシカントローター１０８を回転可能に支持する回転軸１３が設けられており、デシカントローター１０８は中心部分をローターホルダー１１の回転軸１３に嵌め込み、ローターカバー１２により回転軸１３とローターホルダー１１の円周方向外周部の複数点を螺子止めすることにより枢設されている。デシカントローター１０８と加熱手段１０９は略直線状に設けられている。ローターホルダー１１がデシカントローター１０８の通風路前後を仕切るように構成されている。ローターホルダー１１とローターカバー１２にはデシカントローター１０８を挟んでローター仕切り部１４が配置され、デシカントローター１０８を吸湿領域１０６と放湿領域１０７に区分している。ローターホルダー１１に備えられた駆動手段２によりデシカントローター１０８は回転駆動され、吸湿領域１０６と放出領域１０７を連続的に入れ替えることにより連続的に除湿が行われるように構成されている。加熱手段１０９はローターカバー１２にローターカバー１２の円周方向外周部にて複数箇所螺子止めされることにより固定し、ローターカバー１２がローターホルダー１１に固定される際、ローターカバー１２の中心部とローターホルダー１１の回転軸１３とともに螺子止めされる。
【００５９】
図中矢印Ａの方から空気が誘引され、空気は加熱手段１０９を通過しデシカントローター１０８の放湿領域１０７を通過していく。図示していないが、加熱手段１０９の上流には放熱器１０２が設置されており、デシカントローター１０８の下流には吸熱器１０４が設置されている。放熱器１０２を通過し加熱された空気は、少なくともその一部が加熱手段１０９により更に温度を上昇し、放湿領域１０７においてデシカントローター１０８が吸着した水分を放出させる。加熱手段１０９で温度を上げ相対湿度を下げることにより放湿領域１０７での水分放出を促進させている。そして、高湿状態となった空気は吸熱器１０４に流入し、水分を凝縮していくことになる。
【００６０】
図５は、加熱手段１０９の詳細構成を示した分解図である。図５に示すように、加熱手段１０９は通電することにより熱を発する発熱部１５と、発熱部１５を支持する発熱部支持体１６と発熱部支持体１６を挿入固定する箱体１７と、箱体１７をデシカントローター１０８側から覆蓋する蓋部１８とからなる。本実施例においては、発熱部１５はニクロムヒーターを使用し、外径約３〜４ｍｍにて巻き線状に加工されている。発熱部１５は発熱部支持体１６に設けられた、発熱部１５がはめ込まれる切欠き部１９に嵌め込み固定され、発熱部１５の端部を発熱部支持体１６に巻きつけることにより固定を確実なものにしている。さらに、発熱部１５の端部は円筒状の碍子２０の中心穴をとおして加熱手段１０９外部のリード線と接続されることにより発熱部１５と箱体１７の絶縁を確実なものにしている。
【００６１】
発熱部支持体１６は略扇形に構成され、空気を通過させる開口部２１を発熱部支持体のデシカントローターと反対側の面３４に開口している。そして開口部２１は発熱部１５の略中央の位置になる部分に開口している。さらに略扇形の放射方向の辺の壁にも開口部２１を開口している。
【００６２】
箱体１７は板金を曲げ加工により略扇状の箱状に加工し、供給空気を取り入れる空気取入口２２を略扇状の放射方向の辺の壁および、箱体のデシカントローターと反対側の面３３に開口している。箱体１７には発熱部１５を装着した発熱部支持体１６を挿入し螺子止めされる。
【００６３】
蓋部１８は箱体１７をデシカントローター１０８に面する方向から覆蓋し、外周部において一箇所以上螺子止めしている。蓋部１８には加熱された空気を取出す空気取出口２３がデシカントローター１０８と面する側に開口されている。そして空気取出口２３を囲うようにシール部２４を備え、デシカントローター１０８に流れ込む空気とデシカントローター１０８から流出する空気が混合するのを抑制している。
【００６４】
安全装置２５は箱体１７にデシカントローター１０８とは反対方向から螺子止めされる。安全装置２５は供給空気の供給が停止などして発熱部１５が異常高温になった場合に、その温度を検知し、発熱部１５の発熱量を抑制、または停止するように制御を行うものであり、温度ヒューズやサーミスタなどが用いられる。
【００６５】
加熱手段１０９の後流側からの負圧により誘引されて加熱手段１０９に供給される空気は、箱体１７に設けられた複数の空気取入口２２から流入し、発熱部支持体１６の複数の開口部２１を通過し、発熱部１５に導入される。発熱部１５において空気は昇温され、蓋部１８に設けられた空気取出口２３から吹きだし、デシカントローター１０８の放湿領域１０７に流入する。さらに発熱部支持体１６には、反射部２６を設けている。反射部２６は発熱部支持体１６の発熱部１５に面した部分に設けられており、発熱部１５から放射される輻射熱をデシカントローター１０８の放湿領域１０７に向かって反射する作用を有している。本実施例では発熱部支持体１６の一部を光沢がある材料で作成することによって反射部２６がなされており、光沢のあるステンレスやアルミなどの材料を用いることで構成できる。これにより、発熱部支持体１６からのデシカントローター１０８の放湿に関係のない放熱を抑制することができ、発熱部１５の熱を余すところなくデシカントローター１０８の放湿のために利用することができる上に、箱体１７への熱の漏れを抑制し箱体１７外壁の温度上昇を抑制することもできる。
【００６６】
なお、発熱部１５は通電することにより発熱する材料であれば作用効果に差異はなく、ニクロム線に限定するものではない。
【００６７】
また、ニクロムヒーター使用する場合では、本実施例では外径約３〜４ｍｍの巻き線状としたが、この外径に限定するものではなく、必要な入力、ヒータ線の種類などで最適なものを選ぶことができる。
【００６８】
図６は発熱部支持体１６の構成を示した分解図である。発熱部支持体１６は、耐熱性および絶縁性のある材料、たとえばマイカなどの板を発熱部支持板２７として複数枚組み合わせることにより構成されている。発熱部支持板２７には、それぞれ複数の嵌合穴２８と嵌合部２９が設けられ、各々嵌合穴２８に嵌合部２９が嵌合されることにより、略扇状に構成されている。そして、発熱部支持体のデシカントローターと反対側の面３４には、反射部２６が設置されている。反射部２６は前述したように光沢のあるステンレスやアルミなどの材料を用いて構成されている。反射部２６には略中央部に開口部２１が設けられており、発熱部１５の一番温度が高くなる中央部に効率的に空気を供給する構成となっている。反射部２６と発熱部１５は発熱部支持板２７により絶縁距離を十分確保する構成となっている。また、発熱部支持板２７は、その形状や、大きさ、配置により供給空気を発熱部１５に均一に流すよう整流する整流手段としても機能している。
【００６９】
なお、本実施例では発熱部支持体１６にはマイカの板を使用しているが、耐熱性および絶縁性のある材料であれば良く、たとえばベークライトなどを使用しても良く、作用効果に差異は無い。
【００７０】
図７は図５のＡ−Ａ断面を示した断面図である。図に示すように加熱手段１０９の後流側から誘引される空気は、扇状の箱体１７の放射方向辺の壁面に開口された空気取入口２２および、箱体のデシカントローターと反対側の面３３に設けられた空気取入口２２の３方向から箱体内部に供給される。そして、発熱部支持体１６の扇状の放射方向辺の壁面に開口された開口部２１および、発熱部支持体のデシカントローターと反対側の面３４に設けられた開口部２１から発熱部支持体１６内部に空気は供給され発熱部１５により加熱される。その後、蓋部１８のデシカントローター１０８に面する方向に開口された空気取出口２３から導出される。このように箱体１７に対して複数方向から空気が供給されることにより発熱部１５に対して均一に空気を供給することができる。特に、後流方向からの誘引により空気を送風する場合、空気の流れが淀む部分に開口を開けることによりその淀みを解消することができる。本実施例では、図７中、発熱部１５の両側面の部分および発熱部１５が一番高温となる中央部に開口することにより、空気に効率よく発熱部１５の熱を供給している。さらに、発熱部支持体１６にも箱体１７同様複数の開口部２１を設け、発熱部１５に対して均一に空気を供給する構成となっている。
【００７１】
箱体１７と発熱部支持体１６の間には約５〜１０ｍｍの隙間を持たせて固定されており、これが空気断熱層３０として作用する。さらに空気断熱層３０内の空気は流動しているので、より断熱効果を高めることができる。この空気断熱層３０は、発熱部１５の発熱により発熱部支持体１６が加熱され、その熱が箱体１７に伝わるのを抑制しているとともに、発熱部１５からの熱は効率よくデシカントローター１０８の放湿領域１０７に供給されることにより、効率的に放湿領域１０７における放湿を行うことができる。
【００７２】
また、発熱部支持体のデシカントローターと反対側の面３４に設けられた開口部２１と箱体のデシカントローターと反対側の面３３に設けられた空気取入口２２はデシカントローター１０８に投影して、重ならないように配置されている。発熱部１５からは発熱とともに輻射熱が放射されるが、輻射熱は発熱部１５から放射状に放射され物体に到達したところで発熱するという性質を有している。箱体１７の空気取入口２２と発熱部支持体１６の開口部２１が重ならない位置に配置されることにより、輻射熱が、加熱手段１０９の周囲に放射されるのを抑制することができる。これにより、加熱手段１０９外部に放射された輻射熱が周囲部品の到達し、周囲部品の表面を加熱し、熱による劣化等の不具合を引き起こすのを抑制することができる。
【００７３】
また、風量調整部３１を箱体１７の空気取入口２２に設けている。本実施例では、風量調整部３１は箱体の側面の空気取入口２２近傍に設けられ、箱体１７を板金の曲げ加工により作成する際に、板金の一部を凸設させることにより構成されている。この風量調整部３１は、その大きさを調整することにより箱体１７に流入する空気の量を調整する作用を有するとともに、発熱部１５から放射される輻射熱を風量調整部３１が遮断するので加熱手段１０９の周囲に輻射熱が放射されるのを抑制する作用も有する。なお、本実施例では、片側の空気取入口２２近傍にのみ風量調整部を配置したが、もう一方にも配置してよく、作用効果に差異はない。
【００７４】
図８は、箱体１７および発熱部支持体１６の少なくとも一部をパンチングメタル３２にて構成した場合の加熱手段１０９の詳細構成を示した分解図である。この実施例では、箱体のデシカントローターと反対側の面３３にパンチングメタル３２を設けるとともに、発熱部支持体１６の反射部２６をパンチングメタル３２にて構成している。これにより、供給空気を略直線状に箱体１７に誘引し、さらに発熱部支持体１６内部にも略直線状に空気を誘引することができる上に、加熱手段１０９に誘引される空気を均一にすることができ、発熱部１５における風速分布の不均一を解消し、デシカントローター１０８の放湿領域１０７を均一に加熱することにより、加熱手段１０９における加熱の高効率化を図り、効率的に放湿領域における放湿を行うことができる。
【００７５】
また、この実施例では安全装置２５を箱体１７側面の空気取入口２２近傍に設置している。安全装置２５は供給空気の供給が停止などして発熱部１５が異常高温になった場合に、その温度を検知し、発熱部１５の発熱量を抑制、または停止するように制御を行うものである。空気取入口２２近傍は、正常運転時は比較的温度が低く、空気の供給が停止するといち早く温度が上昇する位置であるので、安全装置２５を上記のような位置に設置することにより、異常運転になった場合にすばやくその異常状態を検知することが可能となる。そして、加熱手段１０９の過熱による周囲部品の劣化等を防止できる信頼性の高いものになる。
【００７６】
図９は図８のＢ−Ｂ断面を示した断面図である。図に示すように加熱手段１０９の後流側から誘引される空気は、扇状の箱体１７の放射方向辺の壁面に開口された空気取入口２２および、箱体のデシカントローターと反対側の面３３に設けられたパンチングメタル３２の穴から箱体１７内部に供給される。そして、発熱部支持体１６の扇状の放射方向辺の壁面に開口された開口部２１および、発熱部支持体のデシカントローターと反対側の面３４に設けられたパンチングメタル３２の穴から発熱部支持体１６内部に空気は供給され発熱部１５により加熱される。その後、蓋部１８のデシカントローター１０８に面する方向に開口された空気取出口２３から導出される。このように発熱部１５に対して箱体１７のパンチングメタル３２の穴および発熱部支持体１６のパンチングメタル３２の穴から均一に空気が供給されることにより空気を均一に効率よく加熱することができる。また、このパンチングメタル３２の穴の開口面積をそのシステムに合うように調整することにより、発熱部１５への空気の供給量を調整することができる。さらに、発熱部１５の対する空気供給量が場所により不均一になった場合、パンチングメタル３２の穴の開口面積を場所により変更することにより、風量の不均一を解消することができる。例えば、風量が少ない部分は開口面積を大きくし、風量の少ない部分は開口面積を小さくすればよい。
【００７７】
また、発熱部支持体１６の設けられたパンチングメタル３２の穴と箱体１７に設けられたパンチングメタル３２の穴はデシカントローター１０８に投影して、重ならないように配置されている。発熱部１５からは発熱とともに輻射熱が放射されるが、輻射熱は発熱部１５から放射状に放射され物体に到達したところで発熱するという性質を有している。箱体１７のパンチングメタル３２の穴と発熱部支持体１６のパンチングメタル３２の穴が重ならない位置に配置されることにより、輻射熱が、加熱手段１０９の周囲に放射されるのを抑制することができる。これにより、加熱手段１０９外部に放射された輻射熱が周囲部品の到達し、周囲部品の表面を加熱し、熱による劣化等の不具合を引き起こすのを抑制することができる。
【００７８】
以上、説明した構成および動作により、本実施形態の除湿装置は、以下の効果を奏するものである。
【００７９】
加熱手段１０９の後流側から送風手段６により空気を誘引することにより加熱手段１０９に空気が供給させるので、空気取入口２２を複数設けることにより、加熱手段１０９内部における風速分布を改善でき、デシカントローター１０８の放湿領域１０７を均一に加熱することにより、加熱手段１０９における加熱の高効率化を図り、効率的に放湿領域１０７における放湿を行い、効率的に除湿を行える除湿装置を提供できるという効果を奏する。
【００８０】
また、加熱手段１０９をデシカントローター１０８の放湿領域１０７にあわせるように箱体を扇形に構成した場合、扇形の箱体１７の２つの放射方向の辺の壁付近の風速分布が不均一になるので、その扇形の箱体１７の２つの放射方向の辺の壁付近にそれぞれ空気取入口２２設けることにより風速分布の不均一を解消しデシカントローター１０８の放湿領域１０７を均一に加熱することにより、加熱手段１０９における加熱の高効率化を図り、効率的に放湿領域１０７における放湿を行い、効率的に除湿を行える除湿装置を提供できるという効果を奏する。
【００８１】
また、加熱手段１０９をデシカントローター１０８の放湿領域１０７にあわせるように箱体１７を扇形に構成した場合、前記箱体のデシカントローターと反対側の面３３に空気取入口２２を設けることにより、供給空気を略直線状に箱体１７に誘引することができ、風速分布の不均一を解消し、デシカントローター１０８の放湿領域１０７を均一に加熱することにより、加熱手段１０９における加熱の高効率化を図り、効率的に放湿領域１０７における放湿を行い、効率的に除湿を行える除湿装置を提供できるという効果を奏する。
【００８２】
また、発熱部１５を支持するとともに、発熱部１５のデシカントローター１０８側の面以外を囲う発熱部支持体１６を備え、発熱部支持体１６と箱体１７の間に空気断熱層３０を設けているので、発熱部１５からの発熱および輻射の放射が箱体１７に到達するのを発熱部支持体１６と空気断熱層３０でもって遮断するので、発熱部１５からの熱は効率よくデシカントローター１０８の放湿領域１０７に供給されることにより、効率的に放湿領域１０７における放湿を行い、効率的に除湿が行える除湿装置を提供できるという効果を奏する。
【００８３】
また、発熱部支持体１６のデシカントローター１０８側以外の面に１つ以上の開口部２１を設けるので、加熱手段１０９の後流側から誘引される空気は、発熱部支持体１６の開口部２１から発熱部１５に流れ、空気断熱層３０に空気を流すことができ、空気断熱層３０の断熱効果を高めることにより、発熱部１５からの熱は効率よくデシカントローターの１０８放湿領域１０７に供給されることにより、効率的に放湿領域１０７における放湿を行い、効率的に除湿が行える除湿装置を提供できるという効果を奏する。
【００８４】
また、発熱部支持体のデシカントローターと反対側の面３４に１つ以上の開口部２１を設けることにより、供給空気を略直線状に発熱部１５に誘引することができ、発熱部１５における風速分布の不均一を解消でし、デシカントローター１０８の放湿領域１０７を均一に加熱し、また、発熱部１５の温度が一番高くなる発熱部１５の中央部に効果的に空気を誘引し、デシカントローター１０８の放湿領域１０７を均一に加熱することにより、加熱手段１０９における加熱の高効率化を図り、効率的に放湿領域１０７における放湿を行い、効率的に除湿を行える除湿装置を提供できるという効果を奏する。
【００８５】
また、箱体１７を扇形に構成し、箱体のデシカントローターと反対側の面３３に空気取入口２２を設け、発熱部１５を支持するとともに、発熱部１５のデシカントローター１０８側の面以外を囲う発熱部支持体１６を備え、発熱部支持体のデシカントローターと反対側の面３４に１つ以上の開口部２１を設け、空気取入口２２と開口部２１が、デシカントローター１０８軸方向から投影して重ならない構成とするので、加熱手段１０９の上流側から発熱部１５が直接見えることがなく、発熱部１５から放射される輻射熱が加熱手段１０９の上流側の風路に到達するのを抑制することにより、熱による周囲部品の劣化の不具合を防止し、信頼性の高い除湿装置を提供できるという効果を奏する。
【００８６】
また、発熱部支持体１６に設ける開口部２１をデシカントローター１０８軸方向から投影して、発熱部１５の略中央に配置するので、発熱部１５において温度が一番高くなる発熱部１５の中央部に効果的に空気を誘引し、デシカントローター１０８の放湿領域１０７を均一に加熱することにより、加熱手段１０９における加熱の高効率化を図り、効率的に放湿領域１０７における放湿を行い、効率的に除湿を行える除湿装置を提供できるという効果を奏する。
【００８７】
また、少なくとも発熱部支持体のデシカントローターと反対側の面３４をパンチングメタル３２にて構成するので、発熱部１５に誘引される空気を均一にすることができ、発熱部１５における風速分布の不均一を解消し、デシカントローター１０８の放湿領域１０７を均一に加熱することにより、加熱手段１０９における加熱の高効率化を図り、効率的に放湿領域１０７における放湿を行い、効率的に除湿を行える除湿装置を提供できるという効果を奏する。
【００８８】
また、例えば、デシカントローター１０８と加熱手段１０９とを略直線状に設け、少なくとも箱体のデシカントローターと反対側の面３３をパンチングメタル３２にて構成するので、供給空気を略直線状に箱体１７に誘引することができる上に、加熱手段１０９に誘引される空気を均一にすることができ、発熱部１５における風速分布の不均一を解消し、デシカントローター１０８の放湿領域１０７を均一に加熱することにより、加熱手段１０９における加熱の高効率化を図り、効率的に放湿領域１０７における放湿を行い、効率的に除湿を行える除湿装置を提供できるという効果を奏する。
【００８９】
また、例えば、デシカントローター１０８と加熱手段１０９とを略直線状に設け、発熱部支持体のデシカントローターと反対側の面３４をパンチングメタル３２にて構成し、箱体のデシカントローターと反対側の面３３をパンチングメタル３２にて構成し、デシカントローター１０８軸方向から投影して、発熱支持体１６のパンチングメタル３２の開口穴と箱体１７のパンチングメタル３２の開口穴が重ならないように配置するので、加熱手段１０９の上流側から発熱部１５が直接見えることがなく、発熱部１５から放射される輻射熱が加熱手段１０９の上流側の風路に到達するのを抑制するとともに、供給空気の風速分布の不均一を解消し、デシカントローター１０８の放湿領域１０７を均一に加熱することにより、熱による周囲部品の劣化の不具合を防止し、加熱手段１０９における加熱の高効率化を図り、効率的に放湿領域における放湿を行い、信頼性が高く、効率的に除湿が行える除湿装置を提供できるという効果を奏する。
【００９０】
また、例えば、デシカントローター１０８と加熱手段１０９とを略直線状に設け、発熱部支持体のデシカントローターと反対側の面３４を発熱部１５の輻射成分を反射する反射部２６により構成するので、この反射部２６が発熱部１５から放射される輻射熱をデシカントローター１０８の放湿領域１０７に向けて反射し、効率よく放湿領域１０７を加熱するとともに、加熱手段１０９の周囲に漏洩する熱を遮断することにより、加熱手段１０９における加熱の高効率化を図り、効率的に放湿領域１０７における放湿を行い、効率的に除湿を行える除湿装置を提供できるという効果を奏する。
【産業上の利用可能性】
【００９１】
以上のように本発明にかかる除湿装置は、ヒートポンプとデシカントローターを複合させ、低温時でもヒートポンプを利用して効率良く除湿できるものであり、除湿装置、乾燥機、衣類乾燥機、洗濯乾燥機、浴室換気乾燥機、溶剤回収装置または空調機等の高効率な除湿機能が望まれる用途に適している。
【図面の簡単な説明】
【００９２】
【図１】本発明の実施形態１にかかる除湿装置の概略構成を示した模式図
【図２】同、除湿装置の冷媒の状態変化を示すモリエル線図
【図３】同、除湿装置のメイン風路およびバイパス風路における室内空気の状態変化を示す湿り空気線図
【図４】同、除湿装置のローターホルダーへのデシカントローター、ローターカバーおよび加熱手段の取り付け状態示す構成図
【図５】同、除湿装置の加熱手段の詳細構成を示す分解図
【図６】同、除湿装置の発熱部支持体の詳細構成を示す分解図
【図７】同、除湿装置の加熱手段における図５のＡ−Ａ断面を示す概略断面図
【図８】同、除湿装置の加熱手段の別の一例の詳細構成を示す分解図
【図９】同、除湿装置の加熱手段における図８のＢ−Ｂ断面を示す概略断面図
【図１０】従来の除湿装置の概略構成を示した図
【符号の説明】
【００９３】
２      駆動手段
６      送風手段
７      メイン風路
１５    発熱部
１６    発熱部支持体
１７    箱体
１８    蓋部
２１    開口部
２２    空気取入口
２３    空気取出口
２６    反射部
３０    空気断熱層
３２    パンチングメタル
３３    箱体のデシカントローターと反対側の面
３４    発熱部支持体のデシカントローターと反対側の面
１０１  圧縮機
１０２  放熱器
１０３  膨張機構
１０４  吸熱器
１０５  ヒートポンプ
１０６  吸湿領域
１０７  放湿領域
１０８  デシカントローター
１０９  加熱手段
【図１】
2008086904.tif 000003
【図２】
2008086904.tif 000004
【図３】
2008086904.tif 000005
【図４】
2008086904.tif 000006
【図５】
2008086904.tif 000007
【図６】
2008086904.tif 000008
【図７】
2008086904.tif 000009
【図８】
2008086904.tif 000010
【図９】
2008086904.tif 000011
【図１０】
2008086904.tif 000012